(57)【要約】【目的】  新たなファッション性を加えた靴下を提供する。【構成】  この靴下１００は、足を入れる開口部１１０から下側であって、複数個の孔１２１が開設された孔開部１２０と、この孔開部１２０と踵部１６１との間に位置しており、少なくとも前記孔開部１２０とは異なる色が施された色彩部１３０とを備えており、前記孔開部１２０を色彩部１３０に向かって折り返すと、孔１２１から色彩部１３０が見えるようになっている。また、色彩部１３０は単数色であってもよいし、複数色であってもよい。【選択図】      図２
2005179864.tif 000002
【特許請求の範囲】
【請求項１】
足を入れる開口部から下側であって、１又は複数個の孔が開設された孔開部と、この孔開部と踵部との間に位置しており、少なくとも前記孔開部とは異なる色が施された色彩部とを具備しており、前記孔開部を色彩部に向かって折り返すと、孔から色彩部が見えることを特徴とする靴下。
【請求項２】
前記色彩部は、一色であることを特徴とする請求項１記載の靴下。
【請求項３】
前記色彩部は、複数色であることを特徴とする請求項１記載の靴下。
【請求項４】
足を入れる開口部から下側であって、１又は複数個の孔が開設された孔開部と、この孔開部と踵部との間に嵌め込まれるリング状の帯状体とを具備しており、前記帯状体は、少なくとも前記孔開部とは異なる色が施されており、帯状体が嵌め込まれた状態で、前記孔開部を帯状体に向かって折り返すと、孔開部の孔から帯状体が見えることを特徴とする靴下。
【請求項５】
前記帯状体は、一色であることを特徴とする請求項４記載の靴下。
【請求項６】
前記帯状体は、複数色であることを特徴とする請求項４記載の靴下。
【請求項７】
前記帯状体は、嵌め込まれた状態では、装着者に対して他の部分より高い圧力を加えるものであることを特徴とする請求項４、５又は６記載の靴下。
【発明の詳細な説明】
【技術分野】
【０００１】
本発明は、靴下に関する。
【背景技術】
【０００２】
靴下はファッション性が高いものであり、全体にさまざまな模様を施したり、足首部にワンポイントの刺繍を施したりするものがある。その中で、足を入れる開口部の下側に複数個の孔を開設した靴下がある（特許文献１〜４参照）
【０００３】
【特許文献１】意匠登録第１１８３７５２号公報
【特許文献２】意匠登録第１１９０２３０号公報
【特許文献３】意匠登録第１１９０１７４号公報
【特許文献４】意匠登録第１１９０４８７号公報
【発明の開示】
【発明が解決しようとする課題】
【０００４】
かかる靴下であると、前記孔からは地肌が見えることになる。つまり、例えば、靴下が地肌と同じ色或いは地肌によく似た色で構成されていると、孔から見える地肌と靴下そのものの色との間に差がなく、孔を開設することによって模様を構成するという意図がうまく発揮されない。また、靴下を地肌との間に差がある色で構成したとしても、模様は地肌の色で構成されることになるので、ファッション的に変化の少ないものとなる。
【０００５】
本発明は上記課題を解消するために創案されたものであって、新たなファッション性を加えた靴下を提供することを目的としている。
【課題を解決するための手段】
【０００６】
本発明に係る靴下は、足を入れる開口部から下側であって、１又は複数個の孔が開設された孔開部と、この孔開部と踵部との間に位置しており、少なくとも前記孔開部とは異なる色が施された色彩部とを備えており、前記孔開部を色彩部に向かって折り返すと、孔から色彩部が見えるようになっている。
【発明の効果】
【０００７】
本発明に係る靴下は、足を入れる開口部から下側であって、１又は複数個の孔が開設された孔開部と、この孔開部と踵部との間に位置しており、少なくとも前記孔開部とは異なる色が施された色彩部とを備えており、前記孔開部を色彩部に向かって折り返すと、孔から色彩部が見えるようになっている。
【０００８】
かかる靴下において、孔開部を色彩部に向かって折り返すと、孔開部の孔からは、色彩部が見えていることになる。このため、孔開部は孔開部の地色にそれとは異なる色の模様が形作られているように見える。しかも、色彩部は孔から見えているため、その模様のように見える部分は立体的に見えることになる。
【０００９】
すなわち、この靴下であると、孔開部の孔が模様として機能するので、ファッション性の高い靴下とすることができる。
【００１０】
また、前記色彩部が複数色であると、模様として機能する孔から見える色を孔によって異なるものとすることができるので、より高いファッション性を与えることができる。
【００１１】
一方、本発明に係る他の靴下は、足を入れる開口部から下側であって、１又は複数個の孔が開設された孔開部と、この孔開部と踵部との間に嵌め込まれるリング状の帯状体とを備えており、前記帯状体は、少なくとも前記孔開部とは異なる色が施されており、帯状体が嵌め込まれた状態で、前記孔開部を帯状体に向かって折り返すと、孔開部の孔から帯状体が見えるようになっている。
【００１２】
かかる靴下であると、孔開部を帯状体に向かって折り返すと、孔開部の孔からは、帯状体が見えていることになる。このため、孔開部は孔開部の地色にそれとは異なる色の模様が形作られているように見える。しかも、帯状体は孔から見えているため、その模様のように見える部分は立体的に見えることになる。
【００１３】
また、前記帯状体が複数色であると、模様として機能する孔から見える色を孔によって異なるものとすることができるので、より高いファッション性を与えることができる。
【００１４】
さらに、前記帯状体が、嵌め込まれた状態では、装着者に対して他の部分より高い圧力を加えるものであると、足首或いはその付近に圧力を加えることができるので、足の疲れの軽減に役立つものとなる。
【発明を実施するための最良の形態】
【００１５】
図１は本発明に係る靴下の概略的斜視図、図２は本発明に係る靴下の孔開部を折り返さない状態の概略的斜視図、図３は色彩部が複数の色から構成されている靴下の色彩部を示す概略的平面図、図４は本発明に係る他の靴下の孔開部を折り返さない状態の概略的斜視図、図５は本発明に係る他の靴下を構成する帯状体の概略的斜視図である。
【００１６】
本発明に係る靴下１００は、足を入れる開口部１１０から下側であって、複数個の孔１２１が開設された孔開部１２０と、この孔開部１２０と踵部１６１との間に位置しており、少なくとも前記孔開部１２０とは異なる色が施された色彩部１３０とを備えており、前記孔開部１２０を色彩部１３０に向かって折り返すと、孔１２１から色彩部１３０が見えるようになっている。
【００１７】
まず、この靴下１００の形状は一般的なものと同一で、図１等に示すように、足首からふくらはぎが入る上部１５０と、この上部１５０に続いており、爪先から踵までが入る下部１６０とに大別することができる。
【００１８】
前記上部１５０には、靴下１００を穿く際に、足を入れる開口部１１０が設けられている。この開口部１１０から下側の部分は複数の孔１２１が開設された孔開部１２０となっている。この孔開部１２０は下端から折り返すことができるようになっていて、折り返すと足首とふくらはぎとの間に位置するようになっている。
【００１９】
また、孔開部１２０と前記下部１６０の踵部１６１との間であって、孔開部１２０を折り返した際に孔開部１２０が被さる位置には、孔開部１２０とは異なる色が施された色彩部１３０が設けられている。この色彩部１３０は、例えば、孔開部１２０が黒色であるとすると、色彩部１３０は黒色以外の色、例えば赤色やオレンジ色が施されている。従って、孔開部１２０を色彩部１３０に向かって折り返すと、孔開部１２０の孔１２１からは、色彩部１３０が見えていることになる。このため、孔開部１２０はあたかも黒色の地色に赤色やオレンジ色の模様が形作られているように見える。しかも、色彩部１３０は孔１２１から見えているため、その模様のように見える部分は立体的に見えることになる。
【００２０】
色彩部１３０は、一色で構成するだけでなく、複数色から構成することも可能である。例えば、図３（Ａ）に示すように、異なる色を横縞状に形成すると、孔開部１２０の高さ方向における位置の異なる孔１２１からは異なる色が見えることになる。また、図３（Ｂ）に示すように、異なる色を縦縞状に形成すると、孔開部１２０の横方向における位置の異なる孔１２１からは異なる色が見えることになる。さらに、色彩部１３０の異なる色は縞状ではなく散点状やランダムに形成することも可能である。
【００２１】
また、前記下部１６０の先端、すなわち爪先が位置する部分は、足の指に応じて５本に分かれていてもよいし、足袋のように２つに分かれていてもよい。すなわち、本発明に係る靴下１００においては、爪先が位置する部分の形状はどのような形状であってもよいのである。
【００２２】
上述した靴下１００では、色彩部１３０は靴下１００の一部として構成されていたが、伸縮性のある素材から構成されるリング状の帯状体２３０として靴下２００そのものとは別体に構成することも可能である。この場合には、前記帯状体２３０は、折り返された孔開部２２０の内側に位置させるものとなる。すなわち、この帯状体２３０が孔開部２２０の内側に位置することにより、帯状体２３０が孔開部２２０の孔２２１から見えることになる。
【００２３】
ここで、帯状体２３０に孔開部２２０の色とは異なる色を施しておくと、前記孔２２１からは帯状体２３０の色が見えるため、孔開部２２０には模様が構成されたように見える。例えば、孔開部２２０を黒色で構成し、帯状体２３０を赤色やオレンジ色で構成しておくと、孔開部２２０にはあたかも黒色の地色に赤色やオレンジ色の模様が形作られているように見える。しかも、帯状体２３０は孔２２１から見えているため、その模様のように見える部分は立体的に見えることになる。
【００２４】
かかる帯状体２３０は、一色で構成するだけでなく、複数色から構成することも可能である。例えば、図５（Ａ）に示すように、帯状体２３０に異なる色を横縞状に形成すると、孔開部２２０の高さ方向における位置の異なる孔２２１からは異なる色が見えることになる。また、図５（Ｂ）に示すように、帯状体２３０に異なる色を縦縞状に形成すると、孔開部２２０の横方向における位置の異なる孔２２１からは異なる色が見えることになる。さらに、帯状体２３０の異なる色は縞状ではなく散点状やランダムに形成することも可能である。
【００２５】
さらに、この帯状体２３０を嵌めると、装着者に対して他の部分より高い圧力を食え悪ことができるように構成しておくと、足首或いはその付近に圧力を加えることができるので、足の疲れの軽減に役立つものとなる。
【００２６】
また、このように靴下２００とは別体の帯状体２３０としておくと、靴下自身を交換することなく、帯状体２３０のみを交換するだけで孔開部２２０の孔２２１から見える色を異なるものとする、すなわち模様の色が異なるものとすることが可能となる。
【００２７】
なお、この帯状体２３０を用いる場合でも、前記下部１６０の先端、すなわち爪先が位置する部分は、足の指に応じて５本に分かれていてもよいし、足袋のように２つに分かれていてもよいことはいうまでもない。
【００２８】
また、靴下１００、２００における孔開部１２０、２２０に開設される孔１２１、２２１の形成される位置、大きさ、個数の別は問われないことはもちろんである。
【００２９】
また、靴下１００、２００における孔開部１２０、２２０の孔１２１、２２１が開設されていない位置に、刺繍やボタン等の装飾が施されていてもよいことはもちろんである。この場合、孔開部１２０、２２０の孔１２１、２２１と前記装飾とが組合わさることによって、模様が完結することも考えられる。かかる場合には、模様はより立体的になるというメリットもある。
【図面の簡単な説明】
【００３０】
【図１】本発明に係る靴下の概略的斜視図である。
【図２】本発明に係る靴下の孔開部を折り返さない状態の概略的斜視図である。
【図３】色彩部が複数の色から構成されている靴下の色彩部を示す概略的平面図である。
【図４】本発明に係る他の靴下の孔開部を折り返さない状態の概略的斜視図である。
【図５】本発明に係る他の靴下を構成する帯状体の概略的斜視図である。
【符号の説明】
【００３１】
１００    靴下
１１０    開口部
１２０    孔開部
１２１    孔
１３０    色彩部
【図１】
2005179864.tif 000003
【図２】
2005179864.tif 000004
【図３】
2005179864.tif 000005
【図４】
2005179864.tif 000006
【図５】
2005179864.tif 000007